(57)【特許請求の範囲】
【請求項１】
相互に異なる方向から所定位置に向かって滑動する複数の吊下戸を、前記所定位置にて床側から規制するための規制部材であって、
前記規制部材には、前記複数の吊下戸の下部に各々設けられた被規制部材が入り込んで規制される規制部が、前記複数の吊下戸に対応して設けられ、
複数の前記規制部は、前記規制部材の長手方向に沿って配置され、各々の前記被規制部材の前記規制部への進入方向が、前記複数の吊下戸の滑動方向と同様の角度をなしている、ことを特徴とする規制部材。
【請求項２】
請求項１に記載の規制部材であって、
前記規制部材は、
強磁性体材料からなり、前記床に固定される第１規制部材と、
非磁性材料からなり、前記第１規制部材を覆うと共に前記第１規制部材の少なくとも２つの所定領域を露出させる規制穴を有する第２規制部材とからなり、
前記第２規制部材の前記規制穴から露出した前記第１規制部材が前記規制部として形成されて、昇降可能な前記被規制部材の下端部に具備されるマグネットを引き寄せて接着固定する、ことを特徴とする規制部材。
【請求項３】
請求項２に記載の規制部材であって、
前記第２規制部材は、前記被規制部材を前記規制部に導くガイド部を有することを特徴とする規制部材。
【請求項４】
請求項２または請求項３に記載の規制部材であって、
前記第２規制部材は、弾性変形可能な爪部を有し、前記爪部により前記第１規制部材に固定される、ことを特徴とする規制部材。
【請求項５】
請求項１乃至請求項４のいずれかに記載の規制部材と、当該規制部材に規制される複数の前記吊下戸と、を有することを特徴とする吊下戸ユニット。
【発明の詳細な説明】
【技術分野】
【０００１】
本発明は、吊下戸の下部を床側にて規制するための規制部材、及び、前記規制部材を有する吊下戸ユニット、に関する。
【背景技術】
【０００２】
従来から、吊下戸の下部を床側にて規制するための規制部材としては、床に設けられた受金具が知られている。受金具に対して、吊下戸の下端に取り付けられスプリングの復元力にて常時突出している施錠部材が嵌入して係合されることにより吊下戸の位置が規制される（例えば、特許文献１参照）。この受金具には、１つの施錠部材が係合される１つの凹部と、施錠部材を床面から凹部まで移動方向に沿って導くテーパ部が設けられており、上方からねじで床に固定されている。そして、受金具は１枚の吊下戸に対し１つ設けられている。
【特許文献１】特開２００１−３６２６号公報
【発明の開示】
【発明が解決しようとする課題】
【０００３】
吊下戸は、広い部屋の一角、例えばリビングのコーナーなどをＬ字形に仕切って独立した空間を形成する際に用いられる。このような場合には、直交する２方向から吊下戸を移動させて互いの端部を突き合わせてＬ字形に空間が仕切られる。このとき、２方向から近接される２枚の吊下戸を規制するための受金具は、２枚の吊下戸が突き合わされる位置の床に２つ必要である。しかし、複数の受金具を近接させて床に設けるのは、美観を損ねる畏れがあるという課題があった。
【０００４】
本発明は、かかる課題に鑑みてなされたものであり、その目的とするところは、複数の吊下戸を１つの部材で規制することが可能な規制部材、及び、この規制部材を有する吊下戸ユニットを提供することにある。
【課題を解決するための手段】
【０００５】
相互に異なる方向から所定位置に向かって滑動する複数の吊下戸を、前記所定位置にて床側から規制するための規制部材であって、前記規制部材には、前記複数の吊下戸の下部に各々設けられた被規制部材が入り込んで規制される規制部が、前記複数の吊下戸に対応して設けられ、  複数の前記規制部は、前記規制部材の長手方向に沿って配置され、各々の前記被規制部材の前記規制部への進入方向が、前記複数の吊下戸の滑動方向と同様の角度をなしている、ことを特徴とする規制部材である。  
このような規制部材よれば、相互に異なる方向に滑動する複数の吊下戸の被規制部材を規制するための規制部が、各吊下戸に対応付けられて設けられているので、複数の吊下戸であっても、１つの規制部材にて所定位置に規制することが可能である。よって、相互に異なる方向に滑動する複数の吊下戸を備えても、床には複数の規制部材が設けられることはないので、居室の美観が損なわれることを防止することが可能である。
【０００６】
かかる規制部材であって、前記規制部材は、強磁性体材料からなり、前記床に固定される第１規制部材と、非磁性材料からなり、前記第１規制部材を覆うと共に前記第１規制部材の少なくとも２つの所定領域を露出させる規制穴を有する第２規制部材とからなり、前記第２規制部材の前記規制穴から露出した前記第１規制部材が前記規制部として形成されて、昇降可能な前記被規制部材の下端部に具備されるマグネットを引き寄せて接着固定する、ことが望ましい。  
このような規制部材によれば、被規制部材は下端部にマグネットを有しているので、第２規制部材の下側に設けられている強磁性体材料の第１規制部材が露出している規制穴に近づいた際には第１規制部材に引き寄せられる。このため、被規制部材は、規制部材の表面側に設けられた非磁性材料の第２規制部材上に位置するときには引き寄せられず、規制穴によって露出された第１規制部材に近づいた際に第１規制部材に引き寄せられる。そして、第１規制部材に引き寄せられた被規制部材が、第１規制部材の直上に位置する第２規制部材の規制穴により位置が規制されることにより、被規制部が設けられた吊下戸の下部の位置を規制することが可能である。このとき、第２規制部材には少なくとも２つの規制穴が設けられているので、少なくとも２枚の吊下戸の位置を規制することが可能である。
【０００７】
かかる規制部材であって、前記第２規制部材は、前記被規制部材を前記規制部に導くガイド部を有することが望ましい。  
このような規制部材によると、各々の吊下戸が滑動した際には、第２規制部材が有するガイド部により被規制部材が規制部に導かれるので、吊下戸の下端が理想的な軌道から外れても、被規制部材を所定位置に導くことにより吊下戸の位置を規制することが可能である。
【０００８】
かかる規制部材であって、前記第２規制部材は、弾性変形可能な爪部を有し、前記爪部により前記第１規制部材に固定される、ことが望ましい。  
このような規制部材によれば、第１規制部材が第２規制部材にて覆われるので、例えば鉄などの強磁性体材料でなる第１規制部材が外部に露出しないため、美観に優れた規制部材を実現することが可能である。さらに、第２規制部材は爪部により第１規制部材に固定されるので、第２規制部材を固定するためにねじ等を用いる必要がない。このため、第２規制部材の外側には、ねじ等が露出しないので、より美観に優れた規制部材を実現することが可能である。
【０００９】
また、前記規制部材と、当該規制部材に規制される複数の前記吊下戸と、を有することを特徴とする吊下戸ユニットである。  
このような吊下戸ユニットによれば、床の美観を損なうことなく、１つの規制部材にて複数の吊下戸を安定して位置規制し、独立した空間を形成することが可能な吊下戸ユニットを実現することが可能である。
【発明の効果】
【００１０】
本発明によれば、複数の吊下戸を１つの部材で規制することが可能な規制部材、及び、この規制部材を有する吊下戸ユニットを提供することができるという効果がある。
【発明を実施するための最良の形態】
【００１１】
以下、本発明の一実施形態に係る吊下戸ユニットについて図面を参照して説明する。本実施形態の吊下戸ユニットは、例えばリビングルームなどのコーナーを仕切って、一つの部屋となる独立した空間を形成することが可能である。
【００１２】
図１は、本実施形態に係る吊下戸ユニットを示す外観図である。  
図１に示すように、本実施形態の吊下戸ユニット１０は、相互に異なる方向から所定位置に向かって滑動する複数の吊下戸を、所定位置にて規制することにより独立した空間を形成する吊下戸ユニット１０であり、例えば居室のコーナーを形成する２つの壁５に対し各々ほぼ直交する２方向に沿って滑動する吊下戸を有している。
【００１３】
吊下戸ユニット１０は、天井２にＬ字状に形成されたレール部材１１と、レール部材１１に沿って、前記直交する２方向のうち、一方の方向に滑動する２枚の吊下戸１２を有する第１吊下戸群２０と、他方の方向に滑動する３枚の吊下戸１２を有する第２吊下戸群２１と、第１吊下戸群２０及び第２吊下戸群２１との突き合わせ部分にて、第１吊下戸群２０の１枚の吊下戸１２と第２吊下戸群２１の１枚の吊下戸１２との振れを防止して位置を規制するための規制部材１５と、を有している。
【００１４】
レール部材１１は、直線状に延びるレール１１ａが直交する２方向に配置されて、一方のレール１１ａの端の側部に他方のレール１１ａの端縁が突き当てられてＬ字状に形成されている。レール１１ａは、各吊下戸１２に対してそれぞれ１本ずつ備えられている。このため、第１吊下戸群２０用として２本のレール１１ａが、また、第２吊下戸群２１用として３本のレール１１ａがそれぞれ一体に形成されている。
【００１５】
図２は、第２吊下戸群の吊下戸とレール部材との係合状態を示す図である。  
図示するように第２吊下戸群２１用のレール１１ａは、３つの空間が長手方向に沿って区画されるように形成されたアルミニウム製の押出成形材であり、３つの空間を形成する下側の面にそれぞれ長手方向に沿ってスリット１１ｂが形成され、上側の面が天井２にねじで固定されている。レール部材１１が天井２に固定されるとスリット１１ｂが床３と対向するように配置される。
【００１６】
第１吊下戸群２０及び第２吊下戸群２１の各吊下戸１２は、面材１２ａと、面材１２ａの上下に配置される横框１２ｂ及び面材１２ａの左右に配置される縦框１２ｃとを有している。横框１２ｂ及び縦框１２ｃは、いずれもアルミニウム製の押出成形材である。
【００１７】
各吊下戸１２の上側の横框１２ｂからは上方に突出させて、吊下戸１２をレール１１ａから吊り下げるためのフック部１３が、各吊下戸１２の幅方向における両端部近傍にそれぞれ設けられている。フック部１３は、上側の横框１２ｂからそれぞれ上方に突出された軸体１３ａと、軸体１３ａに回動自在にそれぞれ設けられた回動部１３ｂと、回動部１３ｂを水平方向に貫通する回転軸１３ｃを中心に回転し、回動部１３ｂを挟むように配置された一対のローラ１３ｄと、を有している。
【００１８】
回動部１３ｂの上部及び一対のローラ１３ｄがレール１１ａの内部、すなわち、レール１１ａの区画された空間に入り、スリット１１ｂから下方に回動部１３ｂの下部及び軸体１３ａが突出されている。このとき、突出された軸体１３ａには、吊下戸１２が固定されているので、吊下戸１２はレール１１ａに吊り下げられた状態となりレール１１ａに沿ってスライド可能となる。詳しくは、フック部１３の一対のローラ１３ｄが、スリット１１ｂの両側の板部１１ｃ上を転動することにより、吊下戸１２はレール１１ａに沿って滑らかにスライドする。このとき、吊下戸１２は、レール１１ａから吊り下げられた状態にて、吊下戸１２の下端と床３との間に間隔が設けられて配置される。
【００１９】
また、第１吊下戸群２０及び第２吊下戸群２１が有する各吊下戸１２のうちの１枚ずつが互いに突き合わされるが、この突き合わされる１枚の吊下戸１２の下部には昇降規制装置３０がそれぞれ設けられている。以下の説明では、第１吊下戸群２０及び第２吊下戸群２１が有する互いに突き合わされる吊下戸１２を、突合吊下戸２０ａ、２１ａともいう。本実施形態では、昇降規制装置３０は各突合吊下戸２０ａ、２１ａの突き合わせられる側に位置する縦框１２ｃ内に収容されているが、必ずしも縦框１２ｃ内に収容されていなくても良い。
【００２０】
図３は、昇降規制装置の断面図である。詳しくは、図５におけるＡ−Ａ断面図である。図４は、昇降規制装置の側面図である。図５は、昇降規制装置の平面図である。
【００２１】
昇降規制装置３０は、ほぼ角筒状をなす樹脂製の外筒部３１と、外筒部３１内を昇降する樹脂製の被規制部材としての昇降ピン３２と、昇降ピン３２を上方に引き上げるための引張バネ３３と、引張バネ３３の上端を固定するための固定ブロック３４と、を有している。
【００２２】
外筒部３１は、縦框１２ｃに圧入するための凸部３１ａが設けられ、下端部はほぼ全周に亘って水平方向の外側に突出されて縦框１２ｃの下端部を覆うように構成されている。
【００２３】
昇降ピン３２は、ほぼ角柱状の部材であり、外筒部３１の内径より僅かに小さく形成され、上端には引張バネ３３が掛けられる係止部３２ａを有し、下端部側にはマグネット３２ｂが内包されている。
【００２４】
固定ブロック３４は、ほぼ直方体状の部材であり、内部に板ナット３５が収容される凹部３４ａを有し、下面側に引張バネ３３が掛けられる係止部３４ｂを備えている。また、固定ブロック３４の側方にはねじ３６が挿入される穴３４ｃが設けられており、外筒部３１に設けられた縦方向の長穴３１ｂを貫通するねじ３６が穴３４ｃを通って板ナット３５に螺合されている。そして、ねじ３６を締め込むことにより板ナット３５とねじ頭部とにより固定ブロック３４及び外筒部３１が挟持されて固定ブロック３４が外筒部３１に固定される。このとき、ねじ３６は外筒部３１の長穴３１ｂを貫通しているので、固定ブロック３４の固定位置を上下方向に調整することが可能である。
【００２５】
図６は、昇降ピンが昇降する様子を示す図である。  
昇降ピン３２は、外筒部３１に固定された固定ブロック３４の係止部３４ｂに掛けられた引張バネ３３によって上方に引き上げられている。また、昇降ピン３２は、通常は引き上げられて下端側の一部が外筒部３１の下端から突出した状態にて外筒部３１に収容されている。このとき、昇降ピン３２の下端は床３から十分に離れて位置している。  
そして、昇降ピン３２の下端が強磁性体材料の部材を有する規制部材１５に近接すると、内包されたマグネット３２ｂの磁力により、昇降ピン３２が規制部材１５側に引き寄せられて、外筒部３１より下方に大きく突出するように構成されている。
【００２６】
図７は、規制部材の平面図である。規制部材１５には、第１吊下戸群２０の突合吊下戸２０ａと、第２吊下戸群２１の突合吊下戸２１ａとに設けられた昇降規制装置３０の昇降ピン３２が降下した際に入り込む２つの規制部１９が設けられている。規制部材１５は、第１規制部材としての規制プレート１６と、規制プレート１６を覆うように設けられる第２規制部材としての規制カバー１７とを有している。規制プレート１６は、強い磁性を示す強磁性体材料のステンレス鋼にて形成されており、規制カバー１７は、ほとんど磁性を示さない非磁性材料の樹脂にて形成されている。
【００２７】
図８は、規制カバーの平面図である。図９は規制カバーの正面図である。図１０は、図９におけるＢ矢視図である。図１１は、爪部を説明するための図である。
【００２８】
規制カバー１７は、平面形状がほぼ長方形状をなしており、規制プレート１６を介して床３に固定された際に、中央部分に位置する頂部１７ａの高さが床から約３ｍｍとなるような厚みを有している。このように、規制カバー１７は、床３から突出して設けられるため、歩く人が躓かないように頂部１７ａから、床面に接する端縁に亘ってほぼ全周に曲面が形成されている。
【００２９】
また、規制カバー１７は、規制部１９を構成する２つの規制穴１７ｂを有している。この規制穴１７ｂは、第１吊下戸群２０の突合吊下戸２０ａに設けられた昇降ピン３２と、第２吊下戸群２１の突合吊下戸２１ａに設けられた昇降ピン３２とを各々規制するように設けられている。そして、規制穴１７ｂは、第１吊下戸群２０の突合吊下戸２０ａと第２吊下戸群２１の突合吊下戸２１ａとが突き合わされた状態にて降下された昇降ピン３２が入り込む第１領域１７ｃと、第１領域１７ｃから第１吊下戸群２０及び第２吊下戸群２１が居室の壁５（図１）に向かってスライドされる方向に延長された第２領域１７ｄとを有している。規制穴１７ｂの第２領域１７ｄは、壁５側に向かって規制穴１７ｂの幅が広くなることにより形成されている。
【００３０】
そして、この規制穴１７ｂは、ほぼ長方形状の規制カバー１７を長手方向の長さが半分になるように２等分した領域内に、それぞれ１つずつ設けられている。２つの規制穴１７ｂには、長手方向に２等分した領域の中央側であって規制カバー１７の最も厚みを有する頂部１７ａ側に、第１領域１７ｃが設けられ、第１領域１７ｃから規制カバー１７の端部に向かって幅が広がる第２領域１７ｄが設けられている。
【００３１】
更に、第２領域１７ｄより端部側には、第２領域１７ｄにて規制穴１７ｂの幅が広がる角度と同じ角度にて広がるように、頂部１７ａより高さが低くなるように形成された、昇降ピン３２の進入部１７ｅが設けられている。また、進入部１７ｅとは反対側にて規制穴１７ｂに臨む壁部１７ｆには上方に向かって空間が広がるようなテーパが施されている。
【００３２】
そして、２つの規制穴１７ｂは、第１吊下戸群２０と第２吊下戸群２１との滑動方向がなす角度と同様に、第１領域１７ｃから第２領域１７ｄを通って進入部１７ｅに向かう方向が直交するように配置されている。すなわち、一方の規制穴１７ｂ（図８において下側）は、規制カバー１７がなす長方形の短辺側に進入部１７ｅが配置され、他方の規制穴１７ｂ（図８において上側）は、長辺側に進入部１７ｅが配置されている。
【００３３】
規制カバー１７の裏面側、すなわち床３側は、ほぼ全周に亘って縁部１７ｇが形成されて、その内側が肉抜きされている。規制カバー１７の裏面側にて肉抜きされた部位には、床３側に突出するように、規制カバー１７を規制プレート１６に固定するための爪部としての筒状嵌合部１７ｈが５カ所設けられている。筒状嵌合部１７ｈは、突出された円筒の内側に形成されている空間が偏るように形成されており、筒状部分の厚みの厚い側の厚肉部１７ｉと厚みの薄い側の薄肉部１７ｊとを有している。薄肉部１７ｊの周方向における中央に切込部１７ｋが設けられており、外方から押圧すると内側に弾性変形するように構成されており、薄肉部１７ｊの先端には外方に突出された突片１７ｍが設けられている。
【００３４】
規制カバー１７に５カ所に設けられた５つの筒状嵌合部１７ｈのうち、少なくとも２つの筒状嵌合部１７ｈが、吊下戸１２の滑動方向に沿う線（図１０参照）を挟むように、各規制穴１７ｂの両側に配置されている。例えば、規制カバー１７がなす長方形の短辺側に進入部１７ｅが配置された規制穴１７ｂ（図８下側）に対しては、この規制穴１７ｂにて規制される吊下戸１２の滑動方向に沿う線を挟むように、２つの筒状嵌合部１７ｈ（図１０ではＭ）が設けられており、規制カバー１７がなす長方形の長辺側に進入部１７ｅが配置された規制穴１７ｂ（図８上側）に対しては、この規制穴１７ｂにて規制される吊下戸１２の滑動方向に沿う線を挟むように、２つの筒状嵌合部１７ｈ（図１０ではＮ）が設けられている。
【００３５】
また、規制カバー１７には、規制プレート１６に嵌め込まれた状態から規制カバー１７を取り外すためにドライバー等が挿入される挿入部１７ｎも設けられている。
【００３６】
図１２は、規制プレートの平面図である。図１３は、図１２におけるＣ−Ｃ断面図である。図１４は、図１２におけるＤ−Ｄ断面図である。
【００３７】
規制プレート１６は、規制カバー１７の裏面側に設けられた縁部１７ｇの内側のサイズより僅かに小さなほぼ長方形状のステンレス製の板状部材である。規制プレート１６には、規制カバー１７に設けられた５つの筒状嵌合部１７ｈが嵌合される５つの嵌合穴１６ａと、規制プレート１６を床３に固定する固定具としてのねじ１８が貫通される３つの貫通穴１６ｂと、規制カバー１７が組み付けられた際に規制穴１７ｂの第２領域１７ｄに入り込み昇降ピン３２を引き寄せるための２つの凸部１６ｃとを有している。
【００３８】
５つの嵌合穴１６ａは、規制プレート１６に規制カバー１７が取り付けられる際に、規制カバー１７に設けられた筒状嵌合部１７ｈと対向する位置に設けられている。すなわち嵌合穴１６ａも、少なくとも２つの嵌合穴１６ａが、吊下戸１２の滑動方向に沿う線を挟むように、各規制穴１７ｂの両側に配置されるように形成されている。
【００３９】
筒状嵌合部１７ｈが嵌合穴１６ａに嵌合された際には、筒状嵌合部１７ｈの先端が規制プレート１６の床３側に突出し、突片１７ｍにより規制カバー１７が規制プレート１６に係止される。このため、板状の規制プレート１６は、嵌合穴１６ａの周囲が上方に盛り上げられており、その下側に空間が形成されるように絞り加工が施されている。
【００４０】
また、３つの貫通穴１６ｂも嵌合穴１６ａと同様に、３つの貫通穴１６ｂのいずれか２つの貫通穴１６ｂが、吊下戸１２の滑動方向に沿う線を挟むように、各規制穴１７ｂの両側に配置されるように形成されている。この貫通穴１６ｂは規制プレート１６を床３に固定するためにねじ１８が貫通される穴であるが、ねじ１８の数少ない方が規制部材１５の取り付けにかかる手間、及び占有面積が小さくなる。このため、本実施形態では、ねじ１８の数が、規制部材１５により規制される吊下戸１２の数の２倍より少なくても、規制プレート１６を安定した状態にて固定できるように、貫通穴１６ｂを吊下戸１２の滑動方向に沿う線を挟むように配置している。すなわち、吊り下げられた状態で滑動される吊下戸１２の下端が、たとえ滑動方向に沿う線（理想的な軌道）から離れて滑動し、突出された昇降ピン３２が規制穴１７ｂの周囲の壁に当たったとしても、規制部材１５が規制穴１７ｂの両側にて固定されているので安定した状態が保たれ、吊下戸１２の下端の軌道を効果的に修正することが可能である。
【００４１】
２つの凸部１６ｃは、規制プレート１６に規制カバー１７が取り付けられた際に、規制穴１７ｂの第２領域１７ｄの全幅に位置するように絞り加工により形成されている。すなわち、吊下戸１２の滑動方向とは交差する方向に長く形成されている。
【００４２】
図１５は、図７のＥ―Ｅ断面図である。  
図１５に示すように、規制プレート１６に規制カバー１７が取り付けられた際には、凸部１６ｃの上面が規制カバー１７の進入部１７ｅより僅かに低くなるように形成されている。すなわち、第２領域１７ｄは、第１領域１７ｃより金属面が上方に位置するため、レール１１ａに沿って滑動してきた突合吊下戸２０ａ，２１ａの昇降ピン３２に内包されたマグネット３２ｂの磁力が作用しやすい。このため、昇降ピン３２は第２領域１７ｄにて規制部材１５に引き寄せられ、磁力により一旦規制プレート１６の凸部１６ｃに当接した後、当接したまま規制プレート１６上を摺動して第１領域１７ｃに至る。このとき、凸部１６ｃが絞り加工により形成されているため、第２領域１７ｄと第１領域１７ｃとの境界部には継ぎ目がなく、昇降ピン３２は滑らかに滑って規制プレート１６に当接されたまま第１領域１７ｃに到達する。第１領域１７ｃは、規制カバー１７の頂部１７ａ側に設けられているため、第２領域１７ｄより高い壁に囲まれている。このため、第１領域１７ｃに到達した昇降ピン３２は、強磁性体材料の規制プレート１６に磁力により接着固定された状態が維持されるとともに、規制穴１７ｂを形成する壁に囲まれて外れにくい状態となる。ここで、突合吊下戸２０ａ，２１ａを規制するための規制部１９は、規制カバー１７の規制穴１７ｂと規制プレート１６が相当する。そして、引張バネ３３の引張力は、昇降ピン３２が有するマグネット３２ｂの磁力により昇降ピン３２が規制プレート１６に引き寄せられる力より弱く設定されている。
【００４３】
また、第１吊下戸群２０の突合吊下戸２０ａと第２吊下戸群２１の突合吊下戸２１ａとが突き合わされた状態から、吊下戸１２が居室の壁５側に滑動されることにより、第１領域１７ｃに位置する昇降ピン３２が第２領域１７ｄに滑動する際にも滑らかに滑って、規制プレート１６に当接されたまま第２領域１７ｄに到達する。
【００４４】
そして、規制プレート１６の凸部１６ｃと規制カバー１７の進入部１７ｅの高さは僅かしか違わないため、さらに、吊下戸１２が壁５側に滑動されて昇降ピン３２が第２領域１７ｄと進入部１７ｅとの境界を越える際にも、昇降ピン３２は規制穴１７ｂから容易に抜け出すことが可能である。規制穴１７ｂから抜け出した昇降ピン３２は、樹脂製の規制カバー１７と対向することにより磁力が作用しなくなり、引張バネ３３により上方に引き上げられて吊下戸１２側に収容される。
【００４５】
また、規制プレート１６には、規制プレート１６が取り付けられた際に、第１吊下戸群２０の滑動方向に沿う線に相当する位置と、第２吊下戸群２１の滑動方向に沿う線に相当する位置とを示す切り欠き部１６ｄが、長方形をなす規制プレート１６の各辺の縁部に、それぞれ１カ所ずつ設けられている。
【００４６】
そして、規制部材１５を床３に取り付ける際には、第１吊下戸群２０の突合吊下戸２０ａと第２吊下戸群２１の突合吊下戸２１ａとが滑動される設計上の線を予め床３に記しておき、この線に規制プレートの１６の切り欠き部１６ｄを合わせて配置し、３本のねじ１８で規制プレート１６を床３に固定する。
【００４７】
固定された規制プレート１６の嵌合穴１６ａに規制カバー１７の筒状嵌合部１７ｈを嵌め込んで、規制プレート１６を覆うように規制カバー１７を取り付ける。この状態で、規制カバー１７の規制穴１７ｂからは強磁性体材料の規制プレート１６が露出し、規制プレート１６を固定しているねじ１８は少なくとも規制カバー１７により覆われている。
【００４８】
このような規制部材１５よれば、相互に異なる方向から所定位置に向かって滑動する２枚の突合吊下戸２０ａ、２１ａの昇降ピン３２を、各突合吊下戸２０ａ、２１ａに対応付けられた規制部１９にて規制することが可能である。すなわち、複数の突合吊下戸２０ａ、２１ａであっても、１つの規制部材１５にて規制することが可能である。よって、互いに異なる方向に滑動する複数の突合吊下戸２０ａ、２１ａを備えても、床３には複数の規制部材が設けられることはないので、居室の美観が損なわれることを防止することが可能である。
【００４９】
また、規制プレート１６を固定するねじ１８が規制カバー１７にて覆われ、規制カバー１７は筒状嵌合部１７ｈにより規制プレート１６に固定されるので、ねじ１８が外部に露出せず美観に優れた規制部材１５を実現することが可能である。
【００５０】
また、昇降ピン３２は下端部にマグネット３２ｂを有しているので、規制部材１５の表面側に設けられた非磁性材料の規制カバー１７には引き寄せられず、規制カバー１７の下側に設けられている強磁性体材料の規制プレート１６が露出している部分に引き寄せられる。このため、昇降ピン３２は、規制穴１７ｂによって露出された規制プレート１６に引き寄せられる。そして、規制プレート１６に引き寄せられた昇降ピン３２が、規制プレート１６より上側に設けられた規制カバー１７により水平方向の位置が規制されることにより、突合吊下戸２０ａ，２１ａの下部を確実に規制することが可能である。
【００５１】
また、規制穴１７ｂの第２領域１７ｄ及び昇降ピン３２が規制穴１７ｂに進入する側の進入部１７ｅは、第１領域１７ｃ側から進入部１７ｅ側に向かって広くなるような傾斜が設けられている。このため、突合吊下戸２０ａ，２１ａが滑動方向に沿って滑動された際に、規制穴１７ｂ及び進入部１７ｅの周壁部分１７ｐが昇降ピン３２を規制部１９に導くガイド部となって、昇降ピン３２が規制部１９に導かれるので、突合吊下戸２０ａ，２１ａの下端が理想的な軌道から外れて規制穴１７ｂに進入しても第１領域１７ｃにて規制することが可能である。
【００５２】
また、上記規制部材１５と、当該規制部材１５に規制される複数の突合吊下戸２０ａ，２１ａと、を有する吊下戸ユニット１０によれば、床３の美観を損なうことなく、１つの規制部材１５にて複数の突合吊下戸２０ａ，２１ａを安定して第１領域に位置を規制し、独立した空間を形成することが可能である。
【００５３】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。特に、以下に述べる実施形態であっても、本発明に含まれるものである。
【００５４】
上記実施形態においては、昇降突出部を下端部にマグネットが内包された昇降ピンとし、強磁性体材料の部材と対向した際に突出して規制部材と係合する例について説明したが、昇降突出部は、必ずしもマグネットを内包していなくても良い。例えば、昇降ピンが下方に押圧されており、床面に沿って摺動して規制部材の規制穴に入り込む形態であっても構わない。このとき、昇降ピンの下端には、ローラ等が設けられていることが望ましい。
【図面の簡単な説明】
【００５５】
【図１】本実施形態に係る吊下戸ユニットを示す外観図である。
【図２】第２吊下戸群の吊下戸とレール部材との係合状態を示す図である。
【図３】昇降規制装置の正面から見たときの断面図である。
【図４】昇降規制装置の側面図である。
【図５】昇降規制装置の平面図である。
【図６】昇降ピンが昇降する様子を示す図である。
【図７】規制部材の平面図である。
【図８】規制カバーの平面図である。
【図９】規制カバーの正面図である。
【図１０】図９におけるＢ矢視図である。
【図１１】爪部を説明するための図である。
【図１２】規制プレートの平面図である。
【図１３】図１２におけるＣ−Ｃ断面図である。
【図１４】図１２におけるＤ−Ｄ断面図である。
【図１５】図７のＥ―Ｅ断面図である。
【符号の説明】
【００５６】
２  天井、３  床、５  壁、１０  吊下戸ユニット、１１  レール部材、
１２  吊下戸、１７  規制カバー、１７ｂ  規制穴（ガイド部）、１７ｃ  第１領域、
１７ｄ  第２領域、１７ｈ  筒状嵌合部、１７ｐ  周壁部分（ガイド部）、
２０  第１吊下戸群、２０ａ  突合吊下戸、２１  第２吊下戸群、
２１ａ  突合吊下戸、３０  昇降規制装置、３２  昇降ピン、
３２ａ  係止部、３２ｂ  マグネット、３３  引張バネ、３４  固定ブロック
【図１】
0004647526.tif 000002
【図２】
0004647526.tif 000003
【図３】
0004647526.tif 000004
【図４】
0004647526.tif 000005
【図５】
0004647526.tif 000006
【図６】
0004647526.tif 000007
【図７】
0004647526.tif 000008
【図８】
0004647526.tif 000009
【図９】
0004647526.tif 000010
【図１０】
0004647526.tif 000011
【図１１】
0004647526.tif 000012
【図１２】
0004647526.tif 000013
【図１３】
0004647526.tif 000014
【図１４】
0004647526.tif 000015
【図１５】
0004647526.tif 000016